(57)【要約】      （修正有）【課題】エネルギーロスを極限まで少なくしナセル（発電機等）を必要としないため設備自体が従来のモノよりも簡素で重量も軽量化でき、非接触型風力発電機は微風でもブレード（羽）を回転させる事が出来るため、従来のモノよりも稼働率が高い風力発電機の提供。【解決手段】本考案はブレード（羽）本体１内に永久磁石を設ける。自然エネルギーにより回転し、リング設けられたコイルと反応して電力を発生する。ブレードとリングの間隔は制御装置によって制御する。ブレードの回転数により間隔を制御し最良の発電間隔を得る。従来のブレード（羽）のエネルギーを軸部分に伝達する発電機よりもエネルギーロスが少ないため微風でもブレード（羽）は回転する。したがって、従来のモノよりも稼働率が高い。【選択図】なし【実用新案登録請求の範囲】
【請求項１】
ブレード（羽）自体を発電機とし、従来の自然エネルギーを動力に転換して発電する風力発電機とは異なる。ブレード（羽）自体の回転力で発電する事を特徴とする風力発電機である。
【考案の詳細な説明】
【技術分野】
【０００１】  本考案は、自然エネルギーを利用しブレード（羽）を回転させ電力を発電する風力発電機に関するものである。
【背景技術】
【０００２】  従来、風力発電機は自然エネルギーを利用しブレード（羽）を回転させブレード（羽）軸部分に力を伝え、ナセル（発電機等）で発電していた。
【考案の開示】
【考案が解決しようとす課題】
【０００３】  従来の風力発電機はブレード（羽）を回転させナセル（発電機等）部分で発電するため構造が複雑である。また、自然エネルギーを余さず有効に利用するには、そのロスを生じるため微風に反応せず施設の稼働率に無駄がある。自然エネルギーを化石燃料を使用した発電の代替と位置づけ開発された従来の風力発電機は、その発電量を得るために大型化して設置場所に制限を生じ、耐久性を得るために重量が重くなり設備自体を維持する無駄な設備を必要とする。
【課題を解決するための手段】
【０００４】  本考案は、ブレード（羽）自体を発電機とする。ブレード（羽）に永久磁石を設置し、ブレード（羽）の背面（風上が前面）にコイルを設置したリングを設置する。ブレード（羽）が回転する事で発電する。従来の風力発電機に必要であったナセル（発電機等）は必要ではない。また、ナセル（発電機等）部分を制御する施設も必要ない。したがって、従来の風力発電機よりエネルギーロスが少ない。
【考案の効果】
【０００５】  上述の様に、本考案は発電機部分を接触させないことにより、エネルギーロスを極限まで少なくした風力発電機である。ナセル（発電機等）を必要としないため設備自体が従来のモノよりも簡素で重量も軽量化できる。非接触型風力発電機は微風でもブレード（羽）を回転させる事が出来るため、従来のモノよりも稼働率が高い。
【考案を実施するための最良の形態】
【０００６】  非接触型風力発電機はブレード（羽）に設置した永久磁石とリングに設置したコイルによって発電するため永久磁石の数が多く必要である。したがって、複数葉のブレード（羽）とする。リング（コイル部分）は軸、支持部分と固定する。ブレード（羽）は支持部分の軸に取り付ける。軸部分には間隔制御装置を設置しブレード（羽）の回転数によりブレード（羽）とリング（コイル）の間隔を制御し、微風時から強風時にかけてブレード（羽）とリング（コイル）の間隔を最良の状態に制御する。
【実施例】
【０００７】  以下、添付図面に従って実施例を説明する。図１はブレード（羽）部分である。１の素材は耐久性と強度を兼ね備えたプラスティック樹脂で形成し、プラスティック樹脂形成時に永久磁石を１内に設置する。図２はリング部分である。２には３を設置する。軸部分とは６で固定される。図３は本考案の正面からの図である。エネルギー源となる風力は１に当り１を回転させる。１の後ろ側（風下）の２に設置した３と反応して電量を発生する。【０００８】  図４は本考案の断面図である。エネルギー源となる風力は図右側から受ける。１は５に取り付け回転する。４は１と２の間隔を最適な間隔に保つための制御装置である。４は１の回転数により１と２の間隔を制御する。
【図面の簡単な説明】
【０００９】
【図１】ブレード（羽）の正面図
【図２】リング（コイル部分）の正面図
【図３】本考案正面図
【図４】本考案断面図
【符号の説明】
【００１０】  １ブレード（羽）
２リング（コイル設置部分）
３コイル
４制御装置（ブレードの回転数により非接触間隔を維持する）
５ブレードと軸の取り付け部分
６リング支持材
【図１】
0003110546.tif 000002
【図２】
0003110546.tif 000003
【図３】
0003110546.tif 000004
【図４】
0003110546.tif 000005
【手続補正書】
【提出日】平成16年11月1日(2004.11.1)
【手続補正１】
【補正対象書類名】実用新案登録請求の範囲
【補正対象項目名】全文
【補正方法】変更
【補正の内容】
【実用新案登録請求の範囲】
【請求項１】
ブレード（羽）自体に永久磁石を設置する風力発電機。
【請求項２】
ブレード（羽）の背面（風下）にコイルを設置したリングを有する風力発電機。
【請求項３】
永久磁石を設置したブレードと、該ブレードの背面にコイルを設置したリングが一体となって発電機を構成する風力発電機。
【手続補正２】
【補正対象書類名】明細書
【補正対象項目名】全文
【補正方法】変更
【補正の内容】
【考案の詳細な説明】
【技術分野】
【０００１】  本考案は、自然に発生する風力を利用しブレード（羽）を回転させ電力を発電する風力発電機に関するものである。
【背景技術】
【０００２】既存の風力発電機（プロペラ型）は自然に発生する風力を利用しブレード（羽）を回転させブレード（羽）軸部分に力を伝え、軸部分に繋がった発電機を回転させ発電する。
【考案の開示】
【考案が解決しようとす課題】
【０００３】  既存の風力発電機（プロペラ型）はブレード（羽）を回転させブレード（羽）軸部分に力を伝え、軸部分に繋がった発電機を回転するため構造が複雑である。また、自然に発生する風力を余さず有効に利用する課題について、既存の風力発電機（プロペラ型）は風力エネルギーを発電機に伝えるまでにエネルギー損失を生じるため微風に反応せず施設の稼働率に無駄がある。
【０００４】  自然に発生する風力を利用し発電する既存の風力発電機（プロペラ型）は、化石燃料を使用した発電の代替と位置づけ開発が進められている。そのため多くの発電量を得るために大型化し、その設置場所に制限を生じる。
【０００５】  大型化した既存の風力発電機（プロペラ型）は、それ自体の耐久性を得るために重量が重くなり設備自体を維持する設備を必要とする。
【課題を解決するための手段】
【０００６】  本考案は、ブレード（羽）自体を発電機とする。ブレード（羽）に永久磁石を設置し、ブレード（羽）の背面（風上が前面）にコイルを設置したリングを設置するブレード（羽）が自然に発生する風力により回転する事でブレード（羽）に設置した永久磁石がリングに設置したコイル部分と反応し電力を発電する。
【考案の効果】
【０００７】  上述の様に、本考案は永久磁石を設置したブレード（羽）とコイルを設置したリングが発電機となる。既存の風力発電機（プロペラ型）に必要な発電機を必要としない。そのため既存の風力発電機（プロペラ型）がブレード（羽）で得た風力エネルギーを軸部分から発電機部分に伝えるまでに損失していたエネルギー損失がない。したがって、微風での稼動が可能になり既存の風力発電機（プロペラ型）に比べ稼働率が高い。
【０００８】  既存の風力発電機（プロペラ型）に必要であった発電機を必要としないためエネルギー損失が少ない。そのため大型化することなく多くの発電量を得る事ができる。従来設置できなかった場所に設置できる。
【０００９】  構造が簡素なため既存の風力発電機（プロペラ型）に比べ重量が軽減できる。また、設備も軽減できる。
【考案を実施するための最良の形態】
【００１０】  本考案はブレード（羽）に設置した永久磁石とリングに設置したコイルによって発電するため永久磁石の数が多いほど発電効率が上がる。したがって、複数葉のブレード（羽）とする。リングにはコイルを設置しリング支持材で軸部分と固定する。ブレード（羽）は軸部分に取り付ける。
【実施例】
【００１１】  以下、添付図面に従って実施例を説明する。図１はブレード（羽）部分である。１の素材は耐久性と強度を兼ね備えたプラスティック樹脂で形成し、プラスティック樹脂形成時に４を１内に設置する。図２はリング部分である。２には３を設置する。５とは６で固定される。図３は本考案の正面からの図である。エネルギー源となる風力は１に当り１を回転させる。１の後ろ側（風下）の２に設置した３と反応して電力を発生する。【００１２】  図４は本考案の断面図である。エネルギー源となる風力は図左側から受ける。１は５に取り付け回転する。１が回転する事により１に取り付けた４も回転する。４が回転すると２に取り付けた３と反応し電力を発生する。
【図面の簡単な説明】
【００１３】
【図１】ブレード（羽）の正面図
【図２】リング（コイル部分）の正面図
【図３】本考案正面図
【図４】本考案断面図
【符号の説明】
【００１４】  １ブレード（羽）  ２リング（コイル設置部分）  ３コイル  ４永久磁石  ５軸部分  ６リング支持材
【手続補正３】
【補正対象書類名】図面
【補正対象項目名】全図
【補正方法】変更
【補正の内容】
【書類名】図面    【図１】0003110546.tif 000006
【図２】0003110546.tif 000007
【図３】0003110546.tif 000008
【図４】0003110546.tif 000009